(57)【要約】【課題】収納部の表皮材に複数の開口部を設けて視認可能な模様を変更することにより、より装飾効果を高めて外観品質を向上させ、表皮材の内側に表示内容を変更しうる回転板を配置することにより、バッグの外表面に何等かの物体が接触した場合であっても、回転板の破損の事態を回避しうるバッグを提供すること。【解決手段】収納部の表皮材には複数の開口部が穿設されると共に、上記表皮材の内側には、上記複数の開口部を介して視認可能な模様を備え回転可能に上記表皮材に軸部により軸支された回転板が設けられている。【選択図】図２
0003141621.tif 000002
【実用新案登録請求の範囲】
【請求項１】
収納部の表皮材には複数の開口部が穿設されると共に、上記表皮材の内側には、上記複数の開口部を介して視認可能な模様を備え回転可能に上記表皮材に軸部により軸支された回転板が設けられていることを特徴とするバッグ。
【請求項２】
上記回転板は薄型円盤状に形成され、上記軸部は中心部を貫通して上記表皮材に接合され、円周方向に沿って異なる色彩が施された複数の区分を有することを特徴とする請求項１記載のバッグ。
【請求項３】
上記回転板の内側には、内装材が設けられていることを特徴とする請求項１又は２記載のバッグ。
【請求項４】
上記軸部の一方の端部には、表皮材の外表面に突出する操作用突部が形成されていることを特徴とする請求項１〜３のいずれか１項に記載のバッグ。
【請求項５】
上記複数の開口部と上記操作用突部の平面形状は、同一形状に形成されていることを特徴とする請求項１〜４のいずれか１項に記載のバッグ。
【請求項６】
上記複数の開口部の形状は、ハート形状に形成されていることを特徴とする請求項１〜５のいずれか１項に記載のバッグ。
【請求項７】
上記回転板と上記表皮材との間には透明シートが設けられていることを特徴とする請求項１〜６のいずれか１項に記載のバッグ。
【考案の詳細な説明】
【技術分野】
【０００１】
本考案は、バッグに係り、特に、バッグ本体に開口部を設けて、開口部を介して視認できる模様を変更することにより外観品質を高めうるバッグに関する。
【背景技術】
【０００２】
従来から、バッグの外表面には、様々な模様や絵柄等のデザインが施され、装飾効果が高められている。
しかしながら、バッグの外表面に施されたデザインを任意に変更できないため、バッグに装飾効果の変化を求めることができなかった。
このような場合、バッグの外表面の色や模様等を用途や気分に応じて変更できれば、同一のバックであっても、変化の楽しめるバッグとして使用できることから、より装飾効果が高まる。
このような観点から、バッグ本体の片面に窓孔を有する円形板を取り付け、その内部に種々の絵柄を表示した回転板を設け、回転板を回転させることにより、窓孔から視認しうる絵柄を任意の絵柄に変更できるバッグが提案されている（特許文献１）。
しかしながら、特許文献１に記載されている技術においては、窓孔は１つであることから、選択した任意の１つの絵柄のみが外部に表示されることとなる。
このような場合に、複数の窓孔を設けて様々な絵柄を表示させると共に窓孔を介して視認しうる絵柄をその都度変更することができれば、同一のバッグであっても、気分に応じて複数の窓孔に表示される絵柄を変更することができるので、より装飾効果の高いバッグとすることができる。
また、特許文献１に記載されている技術においては、円形板の内部に設けられた回転板と窓孔を有する円形板がバッグ本体の外表面に取り付けられていることから、取り付け作業が煩雑であると共に、バッグ本体の外表面に他の物体が接触することによる回転板等の破損の可能性を有している。
【０００３】
【特許文献１】実公昭９−１３８６６号
【考案の開示】
【考案が解決しようとする課題】
【０００４】
本考案は、収納部の表皮材に複数の開口部を設けて視認可能な模様を変更することにより、より装飾効果を高めて外観品質を向上させ、表皮材の内側に模様を変更しうる回転板を配置することにより、バッグの外表面に何等かの物体が接触した場合であっても、回転板の破損の事態を回避しうるバッグを提供することにある。
【課題を解決するための手段】
【０００５】
上記課題を解決するために、請求項１記載の考案にあっては、収納部の表皮材には複数の開口部が穿設されると共に、上記表皮材の内側には、上記複数の開口部を介して視認可能な模様を備え回転可能に上記表皮材に軸部により軸支された回転板が設けられていることを特徴とする。
従って、上記回転板を回転させることにより、上記複数の開口部を介して視認可能な模様を変更することができる。
【０００６】
請求項２記載の考案にあっては、上記回転板は薄型円盤状に形成され、上記軸部は中心部を貫通して上記表皮材に接合され、円周方向に沿って異なる色彩が施された複数の区分を有することを特徴とする。
従って、上記回転板は、円周方向に沿って異なる色彩が施された複数の区分を有するので、上記軸部により上記回転板を回転させることにより、複数の区分に施された任意の色彩に変更することができる。
【０００７】
請求項３記載の考案にあっては、上記回転板の内側には、内装材が設けられていることを特徴とする。
従って、上記回転板は、収納部の内側において、内装材により被覆されている。
【０００８】
請求項４記載の考案にあっては、上記軸部の一方の端部には、表皮材の外表面に突出する操作用突部が形成されていることを特徴とする。
従って、上記操作用突部を把持して上記回転板を回転させることができる。
【０００９】
請求項５記載の考案にあっては、上記複数の開口部と上記操作用突部の平面形状は、同一形状に形成されていることを特徴とする。
従って、上記複数の開口部と上記操作用突部の平面形状は、同一形状に形成されているので、相乗効果により、より装飾効果を高めることができる。
【００１０】
請求項６記載の考案にあっては、上記複数の開口部の形状は、ハート形状に形成されていることを特徴とする。
従って、上記複数の開口部の形状は、ハート形状に形成されているので、女性向けのバッグとして、より装飾効果を高めることができる。
【００１１】
請求項７記載の考案にあっては、上記回転板と上記表皮材との間には透明シートが設けられていることを特徴とする。
従って、上記回転板と上記表皮材との間に透明シートが設けられているので、上記回転板の表面は、上記透明シートに被覆されている。
【考案の効果】
【００１２】
請求項１記載の考案にあっては、上記回転板を回転させることにより、上記複数の開口部を介して視認可能な模様を変更することができるので、より装飾効果を高めて外観品質を向上させうるバッグを提供することができる。
また、回転板が表皮材の内側に備えられているので、特許文献１記載の技術とは異なり、バッグの外表面に何等かの物体が接触した場合であっても、回転板の破損の事態を回避しうるバッグを提供することができる。
【００１３】
請求項２記載の考案にあっては、上記回転板は、円周方向に沿って異なる色彩が施された複数の区分を有し、上記軸部により上記回転板を回転させることにより、複数の区分に施された任意の色彩に変更することができるので、より装飾効果を高めて外観品質を向上させうるバッグを提供することができる。
【００１４】
請求項３記載の考案にあっては、上記回転板は、収納部の内側において、内装材により被覆されているので、バッグに物を収納する場合においても回転板に接触することがなく、収納に不都合のないバッグを提供することができる。
【００１５】
請求項４記載の考案にあっては、上記操作用突部を把持して上記回転板を回転させることにより、上記複数の開口部を介して視認可能な模様を容易に変更することができ、より装飾効果を高めて外観品質を向上させうるバッグを提供することができる。
【００１６】
請求項５記載の考案にあっては、上記複数の開口部と上記操作用突部の平面形状は、同一形状に形成されているので、相乗効果により、より装飾効果を高めて外観品質を向上させうるバッグを提供することができる。
【００１７】
請求項６記載の考案にあっては、上記複数の開口部の形状は、ハート形状に形成されているので、女性向けのバッグとして、より装飾効果を高めて外観品質を向上させうるバッグを提供することができる。
【００１８】
請求項７記載の考案にあっては、上記回転板と上記表皮材との間に透明シートが設けられ、上記回転板の表面は、上記透明シートに被覆されているので、防水効果を有すると共に、外部からの汚れの付着を防止でき、かつ、上記回転板の回転による上記表皮材の裏面側の損傷を回避することができる。
また、上記透明シートは透明であるので、上記開口部を介して視認される上記回転板に施された模様の視認を妨げることはない。
また、上記回転板は外部から直接触れることができないので、上記開口部に何等かの物体が接触した場合であっても、上記回転板は回転することがない。
【考案を実施するための最良の形態】
【００１９】
以下、図面を用いて本考案の実施の形態について説明する。
図１に示すように、本実施の形態に係るバッグ１０は、収納部１１の表皮材１２には複数の開口部１３，１４，１５が穿設されると共に、図２に示すように、上記表皮材１２の内側には、上記複数の開口部１３，１４，１５を介して視認可能な模様を備え回転可能に上記表皮材１２に軸部１６により軸支された回転板１７が設けられている。
また、図２に示すように、上記回転板１７は薄型円盤状に形成され、上記軸部１６は中心部３７を貫通して上記表皮材１２に接合され、円周方向に沿って異なる色彩が施された複数の区分１８、１９，２０，２１，２２，２３を有している。
また、上記回転板１７の内側には、内装材（図示せず）が設けられている。
また、図１又は２に示すように、上記軸部１６の一方の端部２４には、表皮材１２の外表面に突出する操作用突部２５が形成されている。
また、上記複数の開口部１３，１４，１５と上記操作用突部２５の平面形状は、同一形状に形成されている。
また、上記複数の開口部１３，１４，１５の形状は、ハート形状に形成されている。
また、図２に示すように、上記回転板１７と上記表皮材１２との間には透明シート２６が設けられている。
【実施例】
【００２０】
以下に、図面を用いて本実施例について詳細を説明する。
図１に示すように、本実施例に係るバッグ１０は、把持部２７と収納部１１により構成されている。
また、上記収納部１１は、全体略直方体形状に形成され、長方形状に形成された底面部２８と、上記底面部２８の一対の長辺部２９，２９に連設された一対の長辺側側面部３０，３０と、一対の短辺部３１，３１に連設された一対の短辺側側面部３２，３２とを有し、上記底面部２８に対向するように収納開口部３３が形成されている。
また、上記把持部２７は中央に至るに従って幅寸法が小さくなる所定の幅寸法を有する薄厚布状に形成され、上記一対の短辺側側面部３２，３２の上端部に両端部が互いに連設されることにより、上記収納開口部３３の上方において、側面円弧状に形成されている。
また、図１又は２に示すように、上記収納部１１の一方の長辺側側面部３０の表皮材１２には、中央部に円形状の軸孔部３４が穿設され、ハート形状により形成された３つの開口部１３，１４，１５が、夫々、上記表皮材１１の中央部の軸孔部３４から放射状に所定の同一の距離寸法間隔をおいて穿設されている。
また、図２に示すように、上記表皮材１１の内側には、上記３つの開口部１３，１４，１５を介して視認可能な模様を備え回転可能に上記表皮材１１に軸部１６により軸支された薄型円盤状の回転板１７が設けられている。
また、上記回転板１７には、上記回転板１７の中心部３７を通る線分により区分けされた略同一面積からなる扇形状の６つの区分１８、１９，２０，２１，２２，２３が形成され、６つの区分１８、１９，２０，２１，２２，２３には異なる色彩が施され、中央部には中心孔３７が穿設されている。
また、上記回転板１７は、軸部１６により上記表皮材１１に軸支された場合に、上記３つの開口部１３，１４，１５を上記表皮材１１の裏面側から塞ぐ径寸法に形成されている。
【００２１】
また、図２に示すように、上記軸部１６の一方の端部２４は、上記一方の長辺側側面部３０の表皮材１１の中央部に穿設された軸孔部３４に挿通され、一方の端部２４には、ハート形状により形成されると共に軸孔部３４より大きな平面形状を有する操作用突部２５が形成され、図１に示すように、上記軸部１６は、上記操作用突部２５により上記表皮材１２に係止されている。
また、図２に示すように、上記軸部１６の他方の端部３５は、固定部材３６により上記回転板１７の中心孔３７に固定され、上記操作用突部２５の操作により上記回転板１７は上記軸部１６と一体として回転する。
また、上記軸部１６は、上記軸部１６に固定された上記回転板１７の模様が上記３つの開口部１３，１４，１５を介して外観上体裁よく視認しうるように、上記回転板１７と上記表皮材１２とが密着しうる長さ寸法に形成されている。
また、図２に示すように、上記回転板１７と上記表皮材１２との間には、上記表皮材１２の裏面側の全域に亘って長方形状の透明シート２６が設けられ、上記透明シート２６の中央部には、上記軸部１６を挿通しうる挿通孔３８が穿設されている。
また、上記透明シート２６は、上記軸部１６を上記挿通孔３８に挿通させることにより上記回転板１７と上記表皮材２６との間に配置されている。
また、上記回転板１７の収納部１１の内側には、上記回転板１７の回転動作を妨げないように上記回転板１７の全域を収納部１１の内側において被覆する内装材（図示せず）が設けられている。
【００２２】
以下、本実施例の作用について説明する。
本実施例に係るバッグ１０を使用するには、例えば、図１に示すように、開口部１３を介して視認しうる区分２２，２３、開口部１４を介して視認しうる区分１８，２３、開口部１５を介して視認しうる区分２１に施された夫々の異なる色彩が、３つの開口部１３，１４，１５を介して視認しうるように配置されている。
そして、バッグ１０の外観の装飾を変更したい場合には、収納部１１の表皮材１１の中央部に突出するように配置された操作用突部１６を把持して回転させることにより、回転板１７を回転させて上記開口部１３，１４，１５を介して視認される色彩を変更する。
この場合、図２に示すように、上記回転板１７には、円周方向に沿って異なる色彩が施された６つの区分１８，１９，２０，２１，２２，２３を有し、上記回転板１７の中心孔３７は、固定部材３６により軸部１６の他方の端部３５に固定されていることから、上記軸部１６の一方の端部２４に形成された上記操作用突部２５の回転操作により、上記回転板１７を回転させることにより、上記３つの開口部１３，１４，１５を介して視認される色彩を変更することができる。
このように、上記操作用突部１６を回転させることにより上記回転板１７を回転させて、例えば、図１に示すような開口部１３を介して視認しうる区分２２，２３、開口部１４を介して視認しうる区分１８，２３、開口部１５を介して視認しうる区分２１に施された夫々の異なる色彩が、３つの開口部１３，１４，１５を介して視認しうる配置から、上記回転板１７を回転させることにより、図３に示すように、開口部１３を介して視認しうる区分１８，２３、開口部１４を介して視認しうる区分１８，１９、開口部１５を介して視認しうる区分２２に施された夫々の異なる色彩が上記３つの開口部を介して視認しうる配置へ変更することができる。
従って、上記回転板１７を回転させることにより、上記３つの開口部１３，１４，１５を介して視認できる模様を変更することができるので、より装飾効果を高めて外観品質を向上させることができる。
【００２３】
また、上記３つの開口部１３，１４，１５と上記操作用突部２５の平面形状は、ハート形状に形成されているので、女性向けのバッグ１０として使用でき、さらに、上記３つの開口部１３，１４，１５と上記操作用突部２５の平面形状が同一のハート形状であるという相乗効果により、より装飾効果を高めて外観品質を向上させることができる。
また、上記回転板１７が表皮材１２の内側に備えられているので、バッグの外表面に何等かの物体が接触した場合であっても、上記回転板１７の破損の事態を回避することができる
また、上記回転板１７を回転させる場合に、回転板１７の内側には、内装材（図示せず）が設けられており、上記回転板１７は、収納部の内側において内装材により被覆されているので、収納部１１に物を収納する場合においても上記回転板１７に接触することがない。
従って、物を収納する際に不都合がないと共に、収納部１１の内側から不用意に上記回転板１７を回転させてしまうことがない。
また、上記回転板１７と上記表皮材２６との間には、透明シート２６が設けられているので、上記回転板１７の表面は、上記透明シート２６に被覆されていることから、防水効果を有すると共に、外部からの汚れの付着を防止でき、上記回転板１７の回転による上記表皮材１２の裏面側への接触による損傷を回避することができる。
また、上記透明シート２６は透明であることから、上記開口部１３，１４，１５を介して視認される上記回転板１７に施された模様の視認を妨げることはない。
また、上記回転板１７は外部から直接触れることができないことから、上記開口部１３，１４，１５に何等かの物体が接触した場合であっても、上記回転板１７は回転することがない。
【産業上の利用可能性】
【００２４】
本考案は、バッグに係り、特に、バッグ本体に開口部を設けて、開口部を介して視認できる模様を変更することにより外観品質を高めうるバッグに適用することができる。
【図面の簡単な説明】
【００２５】
【図１】本考案に係るバッグの一実施の形態を示す斜視図である。
【図２】本考案に係るバッグの要部分解図の一実施の形態を示す斜視図である。
【図３】本考案に係るバッグの模様を変更した後の一実施の形態を示す斜視図である。
【符号の説明】
【００２６】
１０  バッグ
１１  収納部
１２  表皮材
１３  開口部
１４  開口部
１５  開口部
１６  軸部
１７  回転板
１８  区分
１９  区分
２０  区分
２１  区分
２２  区分
２３  区分
２４  軸部の一方の端部
２５  操作用突部
２６  透明シート
２７  把持部
２８  底面部
２９  長辺部
３０  長辺側側面部
３１  短辺部
３２  短辺側側面部
３３  収納開口部
３４  軸孔部
３５  軸部の他方の端部
３６  固定部材
３７  中心部（中心孔）
３８  挿通孔
【図１】
0003141621.tif 000003
【図２】
0003141621.tif 000004
【図３】
0003141621.tif 000005